(57)【要約】【課題】表示される画像の画質を向上させることができる液晶表示装置を提供する。【解決手段】液晶表示装置は、マトリックス状に設けられた複数の表示画素と、映像表示領域に設けられた表示画素に映像表示駆動電圧を所定の映像表示期間において印加する映像表示駆動器と、下側黒色表示期間において下側黒色表示領域に設けられた表示画素に、下側黒色表示駆動電圧を印加し、上側黒色表示期間において上側黒色表示領域に設けられた表示画素に、上側黒色表示駆動電圧を印加する黒色表示駆動器とを具備しており、上側黒色表示駆動電圧は、上から１本目から（Ｎ−Ｍ）本目の黒色ラインを表示するための第１駆動レベル電圧と（Ｎ−Ｍ＋１）本目からＮ本目までの黒色ラインを表示するための第２駆動レベル電圧とを含んでおり、第２駆動レベル電圧は、第１駆動レベル電圧よりも小さくなっていることを特徴とする。【選択図】　図１
2004101575.tif 000002
【特許請求の範囲】
【請求項１】
映像を表示するための映像表示領域と黒色を表示するために前記映像表示領域の下側に隣接して配置された下側黒色表示領域と黒色を表示するために前記映像表示領域の上側に隣接して配置された上側黒色表示領域とに渡ってマトリックス状に設けられた複数の表示画素と、
前記映像を表示するための映像信号に基づいて、前記映像表示領域に設けられた表示画素に映像表示駆動電圧を所定の映像表示期間において印加するために設けられた映像表示駆動器と、
前記映像信号に基づいて、前記映像表示期間に後続する下側黒色表示期間において前記下側黒色表示領域に設けられた表示画素に、前記黒色を表示するための下側黒色表示駆動電圧を印加し、前記下側黒色表示期間に後続する上側黒色表示期間において前記上側黒色表示領域に設けられた前記表示画素に、前記黒色を表示するための上側黒色表示駆動電圧を印加するために設けられた黒色表示駆動器とを具備しており、
前記上側黒色表示領域には、Ｎ本（Ｎは２以上の整数）の黒色ラインが表示されるようになっており、
前記黒色表示駆動器によって印加される前記上側黒色表示駆動電圧は、上から１本目の黒色ラインから（Ｎ−Ｍ）本目（Ｍは１以上Ｎ未満の整数）の黒色ラインまでを表示するために印加される第１駆動レベル電圧と（Ｎ−Ｍ＋１）本目の黒色ラインからＮ本目の黒色ラインまでを表示するために印加される第２駆動レベル電圧とを含んでおり、
前記第２駆動レベル電圧は、前記第１駆動レベル電圧よりも小さくなっていることを特徴とする液晶表示装置。
【請求項２】
前記第２駆動レベル電圧は、前記（Ｎ−Ｍ＋１）本目から前記Ｎ本目までの黒色ラインの輝度レベルが、前記１本目から前記（Ｎ−Ｍ）本目までの黒色ラインの輝度レベルと実質的に同じレベルになるように、前記第１駆動レベル電圧よりも十分小さくなっている、請求項１記載の液晶表示装置。
【請求項３】
前記第１駆動レベル電圧は、１本目から（Ｎ−１）本目までの黒ラインを表示するために印加され、
前記第２駆動レベル電圧は、Ｎ本目の黒ラインを表示するために印加される、請求項１記載の液晶表示装置。
【請求項４】
前記映像表示期間の前には、前記映像信号が前記映像表示駆動器と前記黒色表示駆動器とのいずれにも入力されないブランキング期間が配置されている、請求項１記載の液晶表示装置。
【発明の詳細な説明】
【０００１】
【発明の属する技術分野】
本発明は、映像表示領域に映像を表示し、映像表示領域を垂直方向から挟むように配置された黒色表示領域に黒色を表示する液晶表示装置に関する。
【０００２】
【従来の技術】
例えば映画を表示するときにおいて、従来の液晶表示装置は、ＬＣＤパネル上の映像表示領域に映像を表示し、映像表示領域を垂直方向から挟むように配置された黒色表示領域に黒色を表示する。このような表示を「レターボックス表示」ともいう。
【０００３】
図４は従来の液晶表示装置９０の構成を示すブロック図であり、図５は従来の液晶表示装置９０によって表示される映像を説明するための斜視図であり、図６は液晶表示装置９０によって表示される映像の入力信号レベル９６と表示レベル９７とを説明するための図である。
【０００４】
液晶表示装置９０は、ＬＣＤパネル１４を備えている。ＬＣＤパネル１４には、映像を表示するための略長方形状をした映像表示領域８と黒色を表示するために映像表示領域８の下側に隣接して配置された略長方形状をした下側黒色表示領域２と黒色を表示するために映像表示領域８の上側に隣接して配置された略長方形状をした上側黒色表示領域３とに渡ってマトリックス状に設けられた複数の表示画素７が設けられている。
【０００５】
液晶表示装置９０には、コントローラ８１が設けられている。コントローラ８１は、映像表示駆動器６を有している。映像表示駆動器６は、映像を表示するための映像信号に基づいて、映像表示領域８に設けられた表示画素７に映像表示駆動電圧を所定の映像表示期間９においてソースドライバ１２およびゲートドライバ１３を介して印加する。
【０００６】
コントローラ８１は、黒色表示駆動器９１を有している。黒色表示駆動器９１は、映像信号に基づいて、映像表示期間９に後続する下側黒色表示期間４において下側黒色表示領域２に設けられた表示画素７に、黒色を表示するための下側黒色表示駆動電圧を印加し、下側黒色表示期間４に後続する上側黒色表示期間５において上側黒色表示領域３に設けられた表示画素７に、黒色を表示するための上側黒色表示駆動電圧をソースドライバ１２およびゲートドライバ１３を介して印加する。映像表示期間９の前には、映像信号が映像表示駆動器６と黒色表示駆動器９１とのいずれにも入力されないブランキング期間１０が配置されている。
【０００７】
【発明が解決しようとする課題】
しかしながら前述した従来の液晶表示装置９０の構成においては、上側の黒色表示領域３と映像表示領域８との間の境界において表示される黒色ライン１５が上側の黒色表示領域３において表示される他の黒色ラインの輝度と異なる輝度で表示されるという問題がある。
【０００８】
例えば、図６に示すように、入力信号レベル９６において、上側黒色表示期間５の間、入力される信号レベルが“１”であるにもかかわらず、表示レベル９７において、上側の黒色表示領域３と映像表示領域８との間の境界において期間１８の間表示される黒色ライン１５の輝度レベルは、上側の黒色表示領域３において表示される他の黒色ラインの輝度レベル“１”よりも低い輝度レベル“０”になっている。このため、上側の黒色表示領域３と映像表示領域８との間の境界において表示される黒色ライン１５が沈んだように見えるという問題がある。
【０００９】
本発明は係る問題を解決するためになされたものであり、その目的は、映像表示領域と映像表示領域の下側に隣接して配置された下側黒色表示領域と映像表示領域の上側に隣接して配置された上側黒色表示領域とに渡って表示される画像の画質を向上させることができる液晶表示装置を提供することにある。
【００１０】
【課題を解決するための手段】
本発明に係る液晶表示装置は、映像を表示するための映像表示領域と黒色を表示するために前記映像表示領域の下側に隣接して配置された下側黒色表示領域と黒色を表示するために前記映像表示領域の上側に隣接して配置された上側黒色表示領域とに渡ってマトリックス状に設けられた複数の表示画素と、前記映像を表示するための映像信号に基づいて、前記映像表示領域に設けられた表示画素に映像表示駆動電圧を所定の映像表示期間において印加するために設けられた映像表示駆動器と、前記映像信号に基づいて、前記映像表示期間に後続する下側黒色表示期間において前記下側黒色表示領域に設けられた表示画素に、前記黒色を表示するための下側黒色表示駆動電圧を印加し、前記下側黒色表示期間に後続する上側黒色表示期間において前記上側黒色表示領域に設けられた前記表示画素に、前記黒色を表示するための上側黒色表示駆動電圧を印加するために設けられた黒色表示駆動器とを具備しており、前記上側黒色表示領域には、Ｎ本（Ｎは２以上の整数）の黒色ラインが表示されるようになっており、前記黒色表示駆動器によって印加される前記上側黒色表示駆動電圧は、上から１本目の黒色ラインから（Ｎ−Ｍ）本目（Ｍは１以上Ｎ未満の整数）の黒色ラインまでを表示するために印加される第１駆動レベル電圧と（Ｎ−Ｍ＋１）本目の黒色ラインからＮ本目の黒色ラインまでを表示するために印加される第２駆動レベル電圧とを含んでおり、前記第２駆動レベル電圧は、前記第１駆動レベル電圧よりも小さくなっていることを特徴とする。
【００１１】
【発明の実施の形態】
本実施の形態に係る液晶表示装置においては、上側黒色表示領域には、Ｎ本（Ｎは２以上の整数）の黒色ラインが表示されるようになっており、（Ｎ−Ｍ＋１）本目の黒色ラインからＮ本目の黒色ラインまでを表示するために印加される第２駆動レベル電圧は、１本目の黒色ラインから（Ｎ−Ｍ）本目（Ｍは１以上Ｎ未満の整数）の黒色ラインまでを表示するために印加される第１駆動レベル電圧よりも小さくなっている。このため、（Ｎ−Ｍ＋１）本目からＮ本目までの黒色ラインの輝度レベルを、１本目から（Ｎ−Ｍ）本目までの黒色ラインの輝度レベルと実質的に同じレベルにすることができる。その結果、映像表示領域と映像表示領域の下側に隣接して配置された下側黒色表示領域と映像表示領域の上側に隣接して配置された上側黒色表示領域とに渡って表示される画像の画質を向上させることができる。
【００１２】
前記第２駆動レベル電圧は、前記（Ｎ−Ｍ＋１）本目から前記Ｎ本目までの黒色ラインの輝度レベルが、前記１本目から前記（Ｎ−Ｍ）本目までの黒色ラインの輝度レベルと実質的に同じレベルになるように、前記第１駆動レベル電圧よりも十分小さくなっていることが好ましい。上側黒色表示領域と映像表示領域との間の境界において現れる輝度レベルが低い不具合ラインの輝度を調整するためである。
【００１３】
前記第１駆動レベル電圧は、１本目から（Ｎ−１）本目までの黒ラインを表示するために印加され、前記第２駆動レベル電圧は、Ｎ本目の黒ラインを表示するために印加されることが好ましい。上側黒色表示領域と映像表示領域との間の境界における画質を向上させるためである。
【００１４】
前記映像表示期間の前には、前記映像信号が前記映像表示駆動器と前記黒色表示駆動器とのいずれにも入力されないブランキング期間が配置されていることが好ましい。ブランキング期間が配置されていると、上側黒色表示領域と映像表示領域との間の境界において輝度レベルが低い不具合ラインが現れやすいからである。
【００１５】
以下、図面を参照して本発明の実施の形態を説明する。
【００１６】
図１は本実施の形態に係る液晶表示装置１００の構成を示すブロック図であり、図２は液晶表示装置１００によって表示される映像を説明するための斜視図であり、図３は液晶表示装置１００によって表示される映像の入力信号レベルと表示レベルとを説明するための図である。
【００１７】
液晶表示装置１００は、ＬＣＤパネル１４を備えている。ＬＣＤパネル１４には、映像を表示するための略長方形状をした映像表示領域８と黒色を表示するために映像表示領域８の下側に隣接して配置された略長方形状をした下側黒色表示領域２と黒色を表示するために映像表示領域８の上側に隣接して配置された略長方形状をした上側黒色表示領域３とに渡ってマトリックス状に設けられた複数の表示画素７が設けられている。
【００１８】
液晶表示装置９０には、コントローラ１１が設けられている。コントローラ１１は、映像表示駆動器６を有している。映像表示駆動器６は、映像を表示するための映像信号に基づいて、映像表示領域８に設けられた表示画素７に映像表示駆動電圧を所定の映像表示期間９においてソースドライバ１２およびゲートドライバ１３を介して印加する。
【００１９】
コントローラ１１は、黒色表示駆動器１を有している。黒色表示駆動器１は、映像信号に基づいて、映像表示期間９に後続する下側黒色表示期間４において下側黒色表示領域２に設けられた表示画素７に、黒色を表示するための下側黒色表示駆動電圧を印加し、下側黒色表示期間４に後続する上側黒色表示期間５において上側黒色表示領域３に設けられた表示画素７に、黒色を表示するための上側黒色表示駆動電圧をソースドライバ１２およびゲートドライバ１３を介して印加する。映像表示期間９の前には、映像信号が映像表示駆動器６と黒色表示駆動器９１とのいずれにも入力されないブランキング期間１０が配置されている。
【００２０】
上側黒色表示領域３には、Ｎ本（Ｎは２以上の整数）の黒色ラインが表示されるようになっている。黒色表示駆動器１によって印加される上側黒色表示駆動電圧は、上から１本目の黒色ラインから（Ｎ−１）本目の黒色ラインまでを表示するために印加される第１駆動レベル電圧とＮ本目の黒色ラインを表示するために印加される第２駆動レベル電圧とを含んでいる。第２駆動レベル電圧は、Ｎ本目の黒色ラインの輝度レベルが、１本目から（Ｎ−１）本目までの黒色ラインの輝度レベルと実質的に同じレベルになるように、第１駆動レベル電圧よりも十分小さくなっている。
【００２１】
例えば図３に示すように、入力信号レベル１６において、上側黒色表示期間５の間、上側の黒色表示領域３と映像表示領域８との間の境界において黒色ライン１５を表示するための期間１８における信号レベルは“２”となっており、上側の黒色表示領域３において他の黒色ラインを表示するための期間１８以外の上側黒色表示期間５における信号レベルは　“１”となっている。このように、上側の黒色表示領域３と映像表示領域８との間の境界において黒色ライン１５を表示するための期間１８における信号レベル“２”は、上側の黒色表示領域３において他の黒色ラインを表示するための期間１８以外の上側黒色表示期間５における信号レベル“１”よりも大きくなっている。
【００２２】
このため、表示レベル１７において、上側の黒色表示領域３と映像表示領域８との間の境界において期間１８の間表示される黒色ライン１５の輝度レベルは、上側の黒色表示領域３において表示される他の黒色ラインの輝度レベル“１”と等しい輝度レベル“１”になっている。
【００２３】
なお、前述した本実施の形態においては、第１駆動レベル電圧が１本目から（Ｎ−１）本目までの黒ラインを表示するために印加され、第２駆動レベル電圧がＮ本目の黒ラインを表示するために印加される例を示したが、本発明はこれに限定されない。第１駆動レベル電圧が上から１本目の黒色ラインから（Ｎ−Ｍ）本目（Ｍは１以上Ｎ未満の整数）の黒色ラインまでを表示するために印加され、第２駆動レベル電圧が（Ｎ−Ｍ＋１）本目の黒色ラインからＮ本目の黒色ラインまでを表示するために印加されるようにしてもよい。
【００２４】
以上のように本実施の形態によれば、上側黒色表示領域３には、Ｎ本（Ｎは２以上の整数）の黒色ラインが表示されるようになっており、（Ｎ−Ｍ＋１）本目の黒色ラインからＮ本目の黒色ラインまでを表示するために印加される第２駆動レベル電圧は、１本目の黒色ラインから（Ｎ−Ｍ）本目（Ｍは１以上Ｎ未満の整数）の黒色ラインまでを表示するために印加される第１駆動レベル電圧よりも小さくなっている。このため、（Ｎ−Ｍ＋１）本目からＮ本目までの黒色ラインの輝度レベルを、１本目から（Ｎ−Ｍ）本目までの黒色ラインの輝度レベルと実質的に同じレベルにすることができる。その結果、映像表示領域８と映像表示領域８の下側に隣接して配置された下側黒色表示領域２と映像表示領域８の上側に隣接して配置された上側黒色表示領域３とに渡って表示される画像の画質を向上させることができる。
【００２５】
【発明の効果】
以上のように本発明によれば、映像表示領域と映像表示領域の下側に隣接して配置された下側黒色表示領域と映像表示領域の上側に隣接して配置された上側黒色表示領域とに渡って表示される画像の画質を向上させることができる液晶表示装置を提供することができる。
【図面の簡単な説明】
【図１】本実施の形態に係る液晶表示装置の構成を示すブロック図
【図２】本実施の形態に係る液晶表示装置によって表示される映像を説明するための斜視図
【図３】本実施の形態に係る液晶表示装置によって表示される映像の入力信号レベルと表示レベルとを説明するための図
【図４】従来の液晶表示装置の構成を示すブロック図
【図５】従来の液晶表示装置によって表示される映像を説明するための斜視図
【図６】従来の液晶表示装置によって表示される映像の入力信号レベルと表示レベルとを説明するための図
【符号の説明】
１　黒色表示駆動器
２　下側黒色表示領域
３　上側黒色表示領域
４　下側黒色表示期間
５　上側黒色表示期間
６　映像表示駆動器
７　表示画素
８　映像表示領域
９　映像表示期間
１０　ブランキング期間
１１　コントローラ
１２　ソースドライバ
１３　ゲートドライバ
１４　ＬＣＤパネル
１５　ライン
１６　入力信号レベル
１７　表示レベル
１８　期間
１００　液晶表示装置
【図１】
2004101575.tif 000003
【図２】
2004101575.tif 000004
【図３】
2004101575.tif 000005
【図４】
2004101575.tif 000006
【図５】
2004101575.tif 000007
【図６】
2004101575.tif 000008